(57)【要約】【課題】  窓ガラスに取り付ける防犯警報器が、冬場における結露水や水の侵入による故障や誤作動を防ぐことができる防水警報器を提供する。【解決手段】  薄い断熱防水皿８の底面一部に設けた開口穴９に、前記断熱防水皿８と同じ厚さで成る、ステンレス等の硬質素材による振動伝達板１０を埋め込んだ断熱防水皿８の底面に警報器本体６の裏面を取り付け、その断熱防水皿８の裏面に剥離紙１２付き接着剤１１を設けて成る結露防水型警報器。【選択図】  図１
2005038363.tif 000002
【特許請求の範囲】
【請求項１】
窓や扉に取り付ける警報器であって、振動を感知して作動する警報器本体の裏面に、断熱防水皿の底面一部に設けた開口穴に、前記断熱防水皿と同じ厚さの硬質素材による振動伝達板を埋め込んだ断熱防水皿を取り付け、該断熱防水皿の裏面に、剥離紙付き接着剤を設けて成る構成を特徴とする結露防水型警報器。
【請求項２】
上記する振動伝達板の素材が、金属のステンレスである請求項１に記載する結露防水型警報器。
【請求項３】
警報器とマグネットを一組とする警報器本体の裏面に、適度な大きさと厚みの断熱基板複数枚を一定間隔で取り付け、該断熱基板に剥離紙付き接着剤を設けた構成を特徴とする結露防水型警報器。
【発明の詳細な説明】
【発明の詳細な説明】
【技術分野】
【０００１】  本発明は、窓ガラスに取り付ける防犯警報器が、冬場における結露水や水分の侵入による故障や誤作動を防ぐことができる防水警報器に関する。
【背景技術】
【０００２】  従来から建物への侵入犯罪はあるが、最近は窓を割って侵入する荒っぽい犯罪が多くなり、そのための警報器も提供されている。ひとつは窓ガラスを叩く振動でブザーが鳴る振動感知型タイプと、警報器とマグネットを一組として、窓を開けるのに連動して鳴り響くマグネット感知型の他に、前者と後者を併用した併用感知型などの窓用警報器がある。さらに窓や壁面などに取り付けた警報器に結露水が侵入するのを防ぐ防犯機器もある（例えば、特許文献１参照。）。【０００３】
【特許文献１】  特開２００１−１８５８６６号公報（第３−６頁，図１）
【発明が解決しようとする課題】
【０００４】  上記する警報器において、振動を感知してブザーが鳴るタイプと、警報器とマグネットをセットとし、窓を開けるに連動して鳴り響くマグネットタイプ並びに両者を合わせた併用型の窓用警報器は、いずれも窓ガラスに接着して取り付けるものであるため、冬場はもとより室内外の温度差がある時は窓ガラス面に多くの結露ができて流れ落ちる。その際に結露水は窓ガラスに取り付けた警報器を濡らしたり時には警報器の中にまで侵入することにより、水分による誤作動や錆びによる故障を起こして肝心な時に作動しないなどの不便や欠点があった。
【０００５】  次に上記した特開２００１−１８５８６６号に開示される防犯機器は、壁面や平面ガラス面に取り付けて使用する電子機器や警報器に、結露水等の侵入を簡易に防止する技術として、壁面や窓枠など屋内の取り付け面に取り付けて使用される電子機器において、上記取り付け面に接合する上端縁部に、露水等の水滴を誘落させる桶部を形成して成る防適手段を用いた電子防犯機器の技術である。
【０００６】  しかし、この防適技術は警報器本体も含めた特定の防犯機器にしか用いることができないため、他の警報器などには容易に採用できない技術であり、また防犯機器及び結露防止手段となる構成部材も多くなり複雑であるので、コスト高を招くなどの不便や欠点があった。
【０００７】  本発明は以上のような従来の警報器や防犯機器がもつ不便や欠点を解消した窓用の警報器を構成するが、以下、さらに詳しく実施の形態を示す。
【課題を解決するための手段】
【０００８】  本発明は上記する以上のような不便や欠点を解消するために、請求項１における防水警報器は、薄い断熱防水皿の底面一部に設けた開口穴に、前記断熱防水皿と同じ厚さの、ステンレス等の硬質素材による振動伝達板を埋め込んだ断熱防水皿の底面に警報器本体の裏面を取り付け、かつ前記警報器付き断熱防水皿の裏面に剥離紙付き接着剤を設けて成る結露防水型警報器を構成する。
【０００９】  請求項２による防水警報器は、適度な大きさと厚さでかつ剥離紙付き接着剤を設けた断熱基板複数枚を、警報器本体の裏面に一定間隔をもつて取り付けた窓ガラス用の結露防水型警報器を構成するが、以下、さらに実施の形態を詳述する。
【発明を実施するための最良の形態】
【００１０】  本発明における防水警報器の第１の実施の形態を図１に示す一部剥離した分解斜視図と図２に示す断面図、図３に示す窓ガラスに取り付けた状態の断面図、図４に示す使用状態の斜視図を参照して説明する。【００１１】  第１の実施の形態による防水警報器１は、窓ガラスＢ面に取り付けることで犯人がガラスを叩く振動を感知して作動する警報器であって、スライドする２枚の窓ガラス面の間に収まる厚さのケース内に、電池部２と回路部３とブザー４及びスイッチ５を備えた警報器本体６の裏面に、防水部材７として、前記警報器本体６が収まる発泡樹脂素材等による浅い断熱防水皿８の底面における、前記警報器本体６の振動センサー部位（図示せず）に適度な大きさの開口穴９を設け、その開口穴９にステンレスや硬質樹脂、一般金属等による振動伝達板１０を埋め込んだ、前記断熱防水皿８の底面に接着剤１１をもって警報器本体６を取り付けて成る断熱防水皿８の裏面に、剥離紙１２付き接着剤１１を設けた防水警報器１を構成する。【００１２】  第１の実施の形態による防水警報器１は、警報器本体６の裏面に発泡樹脂素材等による浅い断熱防水皿８を取り付けているので、窓ガラスＢに大量の結露ができて流れ落ちても、図４に示すように結露水Ｃは警報器本体６の断熱防水皿８の左右側面側に流れ落ちるため、警報器本体６を濡らしたり侵入するのを効果的に防止する。【００１３】  加えて断熱防水皿８の中ほどには、窓ガラスＢと警報器本体６のセンサー部に直に接触する硬質の振動伝達板１０を位置させているので、断熱防水皿８を介在させても犯行時における振動を的確に伝えて警報器本体６を作動させることができる構成である。【００１４】  第２の実施の形態の防水警報器を図５に示す一部剥離した斜視図と図６に示す使用状態を示す斜視図を参照して説明する。【００１５】  第２の実施の形態による防水警報器１は、警報器本体６とマグネット１４を一組とし、警報器本体６を窓ガラスＢ面に、他方のマグネット１４は対向する窓枠Ａに取り付けることにより、窓ガラスＢを開けるに連動して警報器本体６が作動するタイプのマグネット感知型の警報器であり、この警報器本体６における防水部材７は、前記警報器本体６の裏面１５に、発泡樹脂素材等による適度な大きさの薄い断熱基板１３，１３を外周寄りに一定間隔をもって取り付け、その断熱基板１３，１３に、剥離紙１２付き接着剤１１を設けて成る防水警報器１を構成する。【００１６】  本実施の形態による防水警報器１は、警報器本体６とマグネット１４を一組とするもので、窓ガラスＢを開けるに連動して警報器が作動するタイプであるが、警報器本体に６設ける防水部材７は、前記警報器本体６の裏面１５に小さな断熱基板１３複数枚を一定間隔に取り付けた構成であるので、窓ガラスＢ面に取り付けた際は窓ガラスＢ面と警報器本体６は断熱基板１３の厚さ分の隙間を形成して取り付けられる。【００１７】  したがって窓ガラスＢ面に結露ができて流れ落ちても、図６に示すように結露水Ｃは一定の隙間と間隔で取り付けられた断熱基板１３，１３の間を通って直接下方に流れ落ちるので、前記タイプと同様に結露水Ｃが警報器本体６を濡らしたり侵入するのを防ぐことができる。尚、この防水部材７は��記した第１の実施の形態に振動伝達板１０とともに採用しても構わない。【００１８】  本発明における防水警報器１は以上のような構成であるが、振動感知型及びマグネット感知型に示した防水部材７は、それぞれいずれのタイプに採用してもよく、また振動とマグネットを併用したタイプに用いても差し支えないし、また窓や扉に取り付ける他の電子機器いずれに採用してもよい。
【発明の効果】
【００１９】  本発明は以上のような防水警報器を構成するので、従来に比べて次のような特徴や効果を有する警報器を提供する。
この発明の警報器における防水手段は、請求項１においては振動感知型の警報器機本体の裏面に、発泡樹脂素材等による断熱防水皿の中ほどに、ガラス窓の振動を直接伝える振動伝達板を位置した断熱防水皿を取り付けた構成であるので、構成はきわめてシンプルであり、かつ断熱防水皿の縁は警報器本体の厚みと同じ高さがあるためかなり多めの結露水が垂れても警報器本体を濡らしたり内部に侵入する心配が無い。
【００２０】  また窓ガラスの清掃時の際に水が垂れても警報器本体を濡らすこともないので、水の内部への侵入による電子機器の誤作動や錆びによる故障要因を防ぎ、かつガラス面と警報器本体の間には振動伝達板を介在しているため、犯行時におけるガラスの振動を確実に感知して警報器を作動させられる防水警報器である。
【００２１】  さらに請求項２に記載する防水警報器は、警報器本体の裏面周囲に複数枚の断熱基板を取り付けることにより、窓ガラスに取り付けた際に警報器本体と窓ガラスとの間に一定の隙間を形成するので、結露水が垂れても警報器を濡らすことなく隙間の間を流れ落ちるため、前記タイプ同様に警報器が結露水による誤作動や故障要因を防止できる防水警報器を構成する。
【００２２】  加えて、防水手段は警報器の裏面に断熱防水皿もしくは断熱基板を取り付ける方式であるため、窓ガラスに取り付けるこれ以外の警報器や電子機器に採用してもよく、またきわめてシンプルな構成であるので安価にして広く提供することが可能である。
【図面の簡単な説明】
【図１】第１の実施の形態の防水警報器を示す一部剥離した分解斜視図である。
【図２】防水警報器を示す断面図である。
【図３】防水警報器を窓ガラスに取り付けた状態を示す断面図である。
【図４】防水警報器の取り付け使用状態を示す斜視図である。
【図５】第２の実施の形態の防水警報器を示す一部剥離した斜視図である。
【図６】防水警報器の取り付け使用状態を示す斜視図である。
【符号の説明】
１・防水警報器
３・回路部
４・ブザー
６・警報器本体
７・防水部材
８・断熱防水皿
１０・振動伝達板
１１・接着剤
１２・剥離紙
１３・断熱基板
１４・マグネット
Ｂ・窓ガラス
Ｃ・結露水
【図１】
2005038363.tif 000003
【図２】
2005038363.tif 000004
【図３】
2005038363.tif 000005
【図４】
2005038363.tif 000006
【図５】
2005038363.tif 000007
【図６】
2005038363.tif 000008